(57)【要約】      （修正有）【課題】使用者の訓練の要求に応じて内部重量を調整し、且つ比較的良好な打撃訓練効果を有する打撃体の内部構造を提供する。【解決手段】内部構造が内部に気体収容体１１及び液体収容体１２を含む。気体収容体は、気体を収容する袋体であり、且つ内部の内層に位置し、気体充填ノズル組１１１を有し、気体充填ノズル組は、気体収容体の一端に位置し、且つ気体収容体内部に連通することができる。液体収容体は、液体又はゲル体を収容する袋体であり、且つ気体収容体外部に位置し、注水組１２１を有し、注水組は、液体収容体側面又は上面に位置し、液体収容体内部に連通する。【選択図】図５
0003173948.tif 000002
【実用新案登録請求の範囲】
【請求項１】
打撃体の内部構造であって、該内部構造は、内部（１０）を含み、該内部（１０）は、中空袋体であり、該内部（１０）は、更に、少なくとも１つの気体収容体（１１）及び少なくとも１つの液体収容体（１２）を含み、
該気体収容体（１１）は、気体を収容する袋体であり、且つ該内部（１０）内層に位置し、該気体収容体（１１）は、少なくとも１つの気体充填ノズル組（１１１）を設け、該気体充填ノズル組（１１１）は、該気体収容体（１１）の一端に位置し、且つ該気体収容体（１１）内部に連通することができ、
該液体収容体（１２）は、液体又はゲル体を収容する袋体であり、且つ該気体収容体（１１）外部に位置し、該液体収容体（１２）は、少なくとも１つの注水組（１２１）を設け、該注水組（１２１）は、該液体収容体（１２）側面又は上面に位置し、該液体収容体（１２）内部に連通することができる打撃体の内部構造。
【請求項２】
前記気体充填ノズル（１１１）は、ボール用気体充填ノズル（１１１１）及びエアベッド用気体充填ノズル（１１１２）から少なくとも１種を選択する請求項１に記載の打撃体の内部構造。
【請求項３】
前記注水組（１２１）は、更に、注水口（１２１１）及び水止め部（１２１２）を含み、該水止め部（１２１２）は、水塞栓（１２１２１）又は水バルブ（１２１２２）であり、且つ該注水口（１２１１）の一端に緊密に接合することができる請求項１に記載の打撃体の内部構造。
【請求項４】
前記液体収容体（１２）は、少なくとも１つのノズル組（１２２）を増設し、該ノズル組（１２２）は、該液体収容体（１２）上端に位置し、且つ該液体収容体（１２）内部に連通することができる請求項１〜３のいずれかに記載の打撃体の内部構造。
【請求項５】
前記内部（１０）に定型環（１３）を増設し、該定型環（１３）が該内部（１０）上部に位置し、且つ該液体収容体（１２）上に固定接続する請求項１〜３のいずれかに記載の打撃体の内部構造。
【請求項６】
前記内部（１０）に定型環（１３）を増設し、該定型環（１３）が該内部（１０）上部に位置し、且つ該液体収容体（１２）上に固定接続する請求項１、２、４のいずれかに記載の打撃体の内部構造。
【考案の詳細な説明】
【技術分野】
【０００１】
本考案は、打撃体の内部構造に関し、特に、使用者の訓練の要求に基づき、内部重量を調整することが可能である液体及び気体を同時に充填物とする打撃体内部構造に関する。
【背景技術】
【０００２】
従来の打撃体の内部構造は、図１に示すように、該内部構造が固体（砂）、液体（例えば、水）又は気体（例えば、空気）を充填物３０とした密封袋体であり、且つ外袋２０内に収容される。
【０００３】
該充填物３０の取得は、相當容易で安価である。しかしながら、打撃体の重量は、使用者の打撃訓練効果に影響を及ぼす。打撃体の内部に固体を該充填物３０として使用した後、重量が重く、運搬が困難であり、内部の密封により収蔵が容易でなく、完全に液体を充填物３０として充填する時は、重量が重すぎ、打撃訓練の効果が良好でなくなる。打撃体の内部に気体を該充填物３０として用いた後、通常は、軽くなり過ぎ、その他の固定部で補助して初めて運用でき、且つ打撃訓練の効果が良好でない。
【０００４】
また、従来の打撃体構造は、固体、液体又は気体のいずれを充填物３０とするかに関わらず、何れもそれぞれただ１種の触感を有し、固体を充填後は、ただ堅い感じを有し、液体を充填後は、幾らかの柔軟度及び弾性を有し、気体を充填した場合は、更に弾性を有するが、何れも同一構造において、触感を更に調整し、多くの異なる訓練技巧に応じることはできない。
【０００５】
従って、従来の打撃体の内部構造は、依然として前記の問題を有し、改善の余地を有する。
【先行技術文献】
【特許文献】
【０００６】
【特許文献１】特開平１０−２４１３８号公報
【考案の概要】
【考案が解決しようとする課題】
【０００７】
従来技術に存在する問題に鑑み、本考案の目的は、使用者の訓練の要求に応じて内部重量を調整し、且つ比較的良好な打撃訓練効果を有する打撃体の内部構造を提供する。
【課題を解決するための手段】
【０００８】
上記の目的を達成する為、本考案は、内部構造において、該内部構造が内部を含み、該内部が更に少なくとも１つの気体収容体及び少なくとも１つの液体収容体を含む。
そのうち、該気体収容体は、気体を収容する袋体であり、且つ該内部の内層に位置し、該気体収容体は、少なくとも１つの気体充填ノズル組を設け、該気体充填ノズル組は、該気体収容体の一端に位置し、且つ該気体収容体内部に連通することができる。該気体収容体は、液体又はゲル体を収容する袋体であり、且つ該気体収容体外部に位置し、該液体収容体は、少なくとも１つの注水組を設け、該注水組は、該液体収容体側面又は上面に位置し、該液体収容体内部に連通する。
【０００９】
該注水組は、該液体収容体内の液体又はゲル体の重量を調整することに用い、該気体充填ノズルは、該気体収容体内の気体の圧力及び体積を調整することに用い、該液体収容体内の液体又はゲル体の位置を調整し、使用者の訓練の要求に基づき内部重量を調整し、且つ好適な打撃訓練の効果を有する。
【００１０】
好ましくは、該液体収容体が収容するゲル体は、液体中に固化を添加する物質、例えば、高吸水性樹脂(SuperAbsorbent Polymer/SAP)であり、該液体収容体の硬度を調整することに用いる。該気体充填ノズル組は、ボール用気体充填ノズル及びエアベッド用気体充填ノズルから少なくとも１種を選択する。該注水組は、更に、注水口及び水止め部を含み、液体の注入及び流出を便利に行い、該水止め部は、内凹式水塞栓又は手動式水バルブであり、且つ該注水口の一端に緊密に接合することができる。
【００１１】
本考案の内部構造は、上記の構成及び効果以外に、該液体収容体は、少なくとも１つのノズル組を設け、該ノズル組は、該液体収容体上端に位置し、且つ該液体収容体内部に連通することができ、該ノズルを経て気体充填又は排気を行い、該内部の硬度を調整し、打撃の触感を調整する効果を達成する。また、該内部は、定型環を増設し、該定型環は、該内部上部に位置し、且つ該液体収容体上に固定接続され、該液体収容体上部に対し、固定することができ、該液体収容体上部が圧力不足により崩れ、皺が発生し、破損することを回避し、且つ外部から見ても更に美観を有する。
【００１２】
本考案は以下の特徴を有する。
１．打撃体の内部構造であって、該内部構造は、内部（１０）を含み、該内部（１０）は、中空袋体であり、該内部（１０）は、更に、少なくとも１つの気体収容体（１１）及び少なくとも１つの液体収容体（１２）を含み、
該気体収容体（１１）は、気体を収容する袋体であり、且つ該内部（１０）内層に位置し、該気体収容体（１１）は、少なくとも１つの気体充填ノズル組（１１１）を設け、該気体充填ノズル組（１１１）は、該気体収容体（１１）の一端に位置し、且つ該気体収容体（１１）内部に連通することができ、
該液体収容体（１２）は、液体又はゲル体を収容する袋体であり、且つ該気体収容体（１１）外部に位置し、該液体収容体（１２）は、少なくとも１つの注水組（１２１）を設け、該注水組（１２１）は、該液体収容体（１２）側面又は上面に位置し、該液体収容体（１２）内部に連通することができる打撃体の内部構造。
２．前記気体充填ノズル（１１１）は、ボール用気体充填ノズル（１１１１）及びエアベッド用気体充填ノズル（１１１２）から少なくとも１種を選択する打撃体の内部構造。
３．前記注水組（１２１）は、更に、注水口（１２１１）及び水止め部（１２１２）を含み、該水止め部（１２１２）は、水塞栓（１２１２１）又は水バルブ（１２１２２）であり、且つ該注水口（１２１１）の一端に緊密に接合することができる打撃体の内部構造。
４．前記液体収容体（１２）は、少なくとも１つのノズル組（１２２）を増設し、該ノズル組（１２２）は、該液体収容体（１２）上端に位置し、且つ該液体収容体（１２）内部に連通することができる打撃体の内部構造。
５．前記内部（１０）に定型環（１３）を増設し、該定型環（１３）が該内部（１０）上部に位置し、且つ該液体収容体（１２）上に固定接続する記載の打撃体の内部構造。
６．前記内部（１０）に定型環（１３）を増設し、該定型環（１３）が該内部（１０）上部に位置し、且つ該液体収容体（１２）上に固定接続する打撃体の内部構造。
【考案の効果】
【００１３】
本考案の打撃体の内部構造は、使用者の訓練の要求に応じて内部重量を調整し、且つ比較的良好な打撃訓練効果を有する。
【図面の簡単な説明】
【００１４】
【図１】従来技術の立体説明図である。
【図２】本考案の実施例Ａの立体説明図である。
【図３】本考案の実施例Ａの一部気体充填の断面図である。
【図４】本考案の実施例Ａの注水の断面図である。
【図５】本考案の実施例Ａの完全気体充填の断面図である。
【図６】本考案の実施例Ｂの立体説明図である。
【図７】本考案の実施例Ｃの立体説明図である。
【図８】本考案の実施例Ｄの立体説明図である。
【図９】本考案の実施例Ｅの立体説明図である。
【図１０】本考案の実施例Ｆの立体説明図である。
【図１１】本考案の実施例Ｇの立体説明図である。
【考案を実施するための形態】
【００１５】
図面に合わせて本考案の好適実施例を以下に詳細に説明する。
【００１６】
図２、図３、図４及び図５を参照し、それは、それぞれ本考案の内部構造の実施例Ａの立体説明図、一部気体充填の断面図、注水断面図、及び完全気体充填の断面図である。そのうち、該内部構造は、内部１０を含み、該内部１０は、更に、少なくとも１つの気体収容体１１及び少なくとも１つの液体収容体１２を含む。
【００１７】
そのうち、該気体収容体１１は、気体を収容する袋体であり、且つ該内部１０内層に位置し、該気体収容体１１は、少なくとも１つの気体充填ノズル組１１１を設ける。該気体充填ノズル組１１１は、該気体収容体１１の一端に位置する。該気体充填ノズル組１１１は、ボール用気体充填ノズル１１１１及びエアベッド用気体充填ノズル１１１２を含む。該液体収容体１２は、液体又はゲル体を収容する袋体であり、且つ該気体収容体１１外部に位置し、該液体収容体１２は、少なくとも１つの注水組１２１及び少なくとも１つのノズル組１２２を設ける。該注水組１２１は、内凹式であり、且つ該液体収容体１２側面に位置し、該注水組１２１は、更に、注水口１２１１及び水止め部１２１２を含み、該水止め部１２１２は、水塞栓１２１２１である。該ノズル組１２２は、該液体収容体１２上端に位置し、図２に示すようである。
【００１８】
該気体充填ノズル組１１１は、該気体収容体１１内部に連通することができ、該気体収容体１１内の気体圧力を制御する。該注水組１２１は、該液体収容体１２内部に連通することができ、該液体収容体１２内の空気排出を制御する。該水塞栓１２１２１は、該注水口１２１１の一端に緊密に接合することができ、該液体収容体１２を密閉することができる。
【００１９】
先ず、気体を該気体充填ノズル１１１から該気体収容体１１内に充填し、該気体収容体１１内の圧力の増加に伴い、体積が膨張し、該液体収容体１２内の体積を圧縮し、図３に示すようである。
【００２０】
その後、該水塞栓１２１２１を開き、使用者の訓練の要求に応じて一定量の液体又はゲル体を該注水口１２１１から該液体収容体１２内に注入し、且つ該注水口１２１１の水平線を超過せず、図４に示すようである。この時、該液体収容体１２内の液体又はゲル体上方は、空気が充満している。
【００２１】
最後に、該水塞栓１２１２１を閉鎖し、該ノズル組１２２を開き、気体を該気体充填ノズル組１１１から該気体収容体１１内に充填し、該気体収容体１１内の圧力の増加に伴い体積が更に膨張し、該液体収容体１２内の体積を更に圧縮する。同時に、該液体収容体１２内の液体又はゲル体の水平面は、圧縮により上昇し、且つ該液体収容体１２内の空気は、該ノズル組１２２から排出され、該液体収容体１２内の液体又はゲル体が該ノズル組１２２から流出するに至り、即ち、該液体収容体１２内の空気が完全に排出される。この時、気体が気体充填ノズル組１１１から該気体収容体１１内に充填されることを停止し、且つ該ノズル組１２２を閉鎖し、該液体収容体１２を密封し、図５に示すようである。
【００２２】
該液体収容体１２内は、使用者の訓練の要求に応じた液体又はゲル体の量を完全に充満し、打撃時に比較的良好な触感を得ることができ、従って、打撃体の打撃訓練効果が良好である。該内部１０内の液体又はゲル体、及び気体は、それぞれ該注水組１２１及び該気体充填ノズル組１１１を介して排出できるので、該内部構造は、容易に収容及び運搬することができる。
【００２３】
更に、該内部１０の硬度を増加させたい場合、気体を該ノズル１２２から該液体収容体１２内に充填させることができる。
【００２４】
図６、図７、図８、図９及び図１０を参照し、それらは、それぞれ本考案の内部構造の異なる実施例の立体説明図である。
【００２５】
図６に示すように、該液体収容体１２は、少なくとも１つの注水組１２１を設け、該注水組１２１は、該液体収容体１２上面に位置し、該注水組１２１は、注水及び排水の効果を具える以外に、排気の効果も提供し、且つ注水は、該液体収容体１２を充満させることができ、その他は、図２と同一である。
【００２６】
図７に示すように、該液体収容体１２は、少なくとも１つの注水組１２１及び少なくとも１つのノズル組１２２を設け、該注水組１２１は、該液体収容体１２上面に位置し、該注水組１２１は、該液体収容体１２を充満させることができ、その他は、図２と同一である。
【００２７】
図８に示すように、該液体収容体１２は、少なくとも１つの注水組１２１を設け、該注水組１２１は、該液体収容体１２上面に位置し、該注水組１２１は、更に、注水口１２１１を及び水止め部１２１２を含み、該水止め部１２１２は、手動式水バルブ１２１２２であり、該注水組１２１は、注水及び排水の効果を具える以外に、排気の効果も提供し、且つ該液体収容体１２を充満させることができ、その他は、図２と同一である。
【００２８】
図９に示すように、該液体収容体１２は、少なくとも１つの注水組１２１及び少なくとも１つのノズル組１２２を設け、該注水組１２１は、該液体収容体１２上面に位置し、該注水組１２１は、更に、注水口１２１１を及び水止め部１２１２を含み、該水止め部１２１２は、手動式水バルブ１２１２２であり、該注水組１２１は、該液体収容体１２を充満させることができ、その他は、図２と同一である。
【００２９】
図１０及び図１１に示すように、図７の該内部１０は、定型環１３を増設し、該定型環１３は、該内部１０上部に位置し、且つ該液体収容体１２上に固定接続し、該液体収容体１２上部を固定する。
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３０】
１０  内部
１１  気体収容体
１１１  気体充填ノズル組
１１１１  ボール用気体充填ノズル
１１１２  エアベッド用気体充填ノズル
１２  液体収容体
１２１  注水組
１２１１  注水口
１２１２  水止め部
１２１２１  水塞栓
１２１２２  水バルブ
１２２  ノズル組
１３  定型環
２０  外袋
３０  充填物
【図１】
0003173948.tif 000003
【図２】
0003173948.tif 000004
【図３】
0003173948.tif 000005
【図４】
0003173948.tif 000006
【図５】
0003173948.tif 000007
【図６】
0003173948.tif 000008
【図７】
0003173948.tif 000009
【図８】
0003173948.tif 000010
【図９】
0003173948.tif 000011
【図１０】
0003173948.tif 000012
【図１１】
0003173948.tif 000013